(57)【特許請求の範囲】
【請求項１】
スタッドガン本体の前方に、直線駆動する駆動軸に対して平行に単又は複数本のガイド杆を突設し、該ガイド杆の先端にはフェルール当接部を形成し、前記ガイド杆の途中部にスライド移動可能に設けた移動体を前記駆動軸に連結するとともに、該移動体にスタッド保持具を設け、更に前記ガン本体の後方に、前記駆動軸に対して平行に単又は複数本の第２ガイド杆を突設し、該第２ガイド杆にスライド移動可能に設けた第２移動体に第２スタッド保持具を設け、前方の前記スタッド保持具と後方の当該第２スタッド保持具とに装着したスタッドをガン本体の上方又は側方に配してなることを特徴とするスタッド溶接装置。
【請求項２】
前記スタッドが異形鉄筋で作製されたものである請求項１記載のスタッド溶接装置。
【請求項３】
既設鉄筋に着脱可能に装着し、該既設鉄筋と直交した導体面を有するアースクランプと、前記既設鉄筋の端部周囲でアースクランプの導体面に押し当てた状態で装着する耐熱性絶縁素材からなるリング状のスタッドベースと、前記スタッドの先端部周囲に装着し且つ前記スタッドベースに接合可能なフェルールとを備えてなる請求項１又は２記載のスタッド溶接装置。
【発明の詳細な説明】
【０００１】
【発明の属する技術分野】
本発明は、スタッド溶接装置に係わり、更に詳しくは狭い作業空間内で横向きに鉄筋同士を溶接するためのスタッド溶接装置に関するものである。
【０００２】
【従来の技術】
最近、新幹線の鉄筋コンクリート製の高架橋やトンネルの崩落事故が頻繁に発生し、大きな社会問題となってきている。その原因はともかくとして、１９６０年〜１９７０年代の高度成長期を境として急速に増えてきた鉄筋コンクリート構造物は、車の排気ガスや酸性雨、更には交通量の増加によって老朽化が進んできている。鉄筋コンクリート構造物の寿命は５０年以上と言われているが、鉄筋コンクリート構造物を取り巻く環境の悪化によって、高度成長期に構築された多くの構造物が寿命に近づきつつある。しかし、適切な時期に適切なメンテナンス、補修を行うことによって、鉄筋コンクリート構造物の寿命を大幅に延ばすことができる。
【０００３】
例えば、ホロースラブ橋に代表されるように、鉄筋コンクリート製の橋梁においては、橋脚部分でコンクリート床版同士が伸縮装置を介して接続されているが、このコンクリート床版の端部に設けた伸縮装置が最も損傷が大きく、その取替えが必要となっている。この伸縮装置の取替え工事は、先ずコンクリート床版のコンクリート部の端部を内部の鉄筋とともに回転カッターやワイヤーソーイング装置で切断した後、コンクリート床版の切断端部と伸縮装置を取り除き、その後コンクリート部の切断面を、全面に亘って削岩機によって厚さ１０〜１５ｃｍ程度斫り、鉄筋の端部を露出させた後、新規の伸縮装置を設置してから、前記鉄筋の露出部に新設鉄筋を１０ｃｍ程度重ねた状態でフレアー溶接して延長するとともに、その他の鉄筋を配し、最後にコンクリートを打設する作業である。
【０００４】
ここで、最も問題となる作業は、コンクリート部の斫り作業である。通常、この種の伸縮装置の取替え工事は、交通規制を最短にするため集中工事となり、そのため斫り作業が深夜に及ぶ場合もあり、発生する騒音によって近隣住民に多大な迷惑をかけることになるのである。また、騒音発生がひどい場合には、工事そのものが近隣住民の苦情や実力行使によって中断させられることもある。
【０００５】
一方、東名高速道路や名神高速道路、あるいは首都高速道路を始めとして、交通量の増加によって慢性的な交通渋滞が発生している区間が存在し、その交通渋滞を緩和するために、各地で車線の拡幅工事が行われてきている。この車線の拡幅工事における問題は、前述の伸縮装置の取替え工事にも共通する。既設のコンクリート床版の端部を延長する場合、先ずコンクリート部を内部の鉄筋とともに、切断し、それから切断面から厚さ１０〜１５ｃｍ程度まで削岩機やウォタージェットでコンクリート部を斫り、鉄筋の先端部を露出させ、そして既設鉄筋の端部に新設鉄筋を１０ｃｍ程度重ねた状態でエンクローズ溶接又は機械継手で連結し、最後にコンクリートを打設するのである。この場合もコンクリート部の斫り作業が、工期の長期化と騒音発生の最大の問題となっている。
【０００６】
また、トンネル内面補強改修工事では、既設トンネルの内面に沿って新たな鉄筋を配設する作業を伴うが、この鉄筋を連結する手段として前述のフレアー溶接やエンクローズ溶接又は機械継手が利用されている。この場合の鉄筋同士の連結作業に多大な労力と時間を要し、これがコスト低減化の妨げになっていた。
【０００７】
ここで、同径の鉄筋同士を同軸状に溶接する技術として、前述のエンクローズ溶接があるが、溶接時間が長いため作業効率が悪くなり、現場向きではなく、また発熱の熱容量が大きいため鉄筋に材質変化が生じ、更に根本的に所定長さの溶接しろを確保するためのコンクリート部の斫り作業が必要となるのである。また、鋼板の表面に鉄筋をスタッド溶接する技術は一般的であるが、従来からスタッド溶接は、１５ｃｍ角以上の面積を有する鉄板に溶接することが推奨されており、磁気吹き現象のため常識的にもそのような場合に適用されていた。
【０００８】
このように、スタッド鉄筋を溶接する相手面は、かなり広い面積を有する板物であることが常識であった。そのため、従来のスタッド溶接技術は、略同径の鉄筋同士を溶接すること、更には鉄筋が略水平な状況下で行うこと等は全く想定外であった。また、伸縮装置の取替え工事を始めとして、既設鉄筋に新設鉄筋を溶接して延長する作業は、非常に狭い空間で行われるが、従来のスタッドガンは、ガン本体に前方へ突出した直線駆動される駆動軸の先端に、スタッドを延長するように同軸状に装着する構造であるため、スタッドガンの駆動軸先端までの長さにスタッドの長さを加えた程度の最低空間を要し、特にスタッドとして長尺の異形鉄筋を用いる場合にはセッティング自体が困難となる。
【０００９】
【発明が解決しようとする課題】
そこで、本発明が前述の状況に鑑み、解決しようとするところは、狭い作業空間内で横向きの既設鉄筋の端部にスタッド鉄筋を同軸状に突合せて溶接することが可能であり、特に橋梁のコンクリート床版同士の接続部に配した伸縮装置の取替え工事、床版の横幅拡張工事あるいはトンネル内面補強改修工事等に適用可能なスタッド溶接装置を提供する点にある。
【００１０】
【課題を解決するための手段】
本発明は、前述の課題解決のために、スタッドガン本体の前方に、直線駆動する駆動軸に対して平行に単又は複数本のガイド杆を突設し、該ガイド杆の先端にはフェルール当接部を形成し、前記ガイド杆の途中部にスライド移動可能に設けた移動体を前記駆動軸に連結するとともに、該移動体にスタッド保持具を設け、更に前記ガン本体の後方に、前記駆動軸に対して平行に単又は複数本の第２ガイド杆を突設し、該第２ガイド杆にスライド移動可能に設けた第２移動体に第２スタッド保持具を設け、前方の前記スタッド保持具と後方の当該第２スタッド保持具とに装着したスタッドをガン本体の上方又は側方に配してなるスタッド溶接装置を構成した。
【００１１】
また、前記スタッドが異形鉄筋で作製されたものであることがより好ましい。
【００１２】
更に、既設鉄筋に着脱可能に装着し、該既設鉄筋と直交した導体面を有するアースクランプと、前記既設鉄筋の端部周囲でアースクランプの導体面に押し当てた状態で装着する耐熱性絶縁素材からなるリング状のスタッドベースと、前記スタッドの先端部周囲に装着し且つ前記スタッドベースに接合可能なフェルールとを備えてなることがより好ましい。
【００１３】
【発明の実施の形態】
次に本発明の実施の形態を添付図面に基づき更に詳細に説明する。図１〜図８は本発明のスタッド溶接装置の第１実施形態を示し、図中符号１はスタッドガン、２はガン本体、３は駆動軸、４はスタッド、５は既設鉄筋、６はアースクランプ、７はスタッドベース、８はフェルールをそれぞれ示している。尚、後述の第２実施形態及び第３実施形態は、本発明の実施例ではなく参考例である。
【００１４】
本発明のスタッド溶接装置を構成するスタッドガン１は、スタッドガン本体２の前方に、直線駆動する駆動軸３に対して平行に単又は複数本のガイド杆１０，１０を突設し、該ガイド杆１０，１０の先端にはフェルール当接部１１を形成し、前記ガイド杆１０，１０の途中部にスライド移動可能に設けた移動体１２を前記駆動軸３に連結するとともに、該移動体１２にスタッド保持具１３を設け、該スタッド保持具１３に装着したスタッド４をガン本体２の上方に配してなる基本構造を有している。尚、図示しないが、前記スタッド保持具１３の向きを横方向に設定すれば、スタッド４をガン本体２の側方に配することが可能である。そして、本発明のスタッド溶接装置は、前述のスタッドガン１に加えて、既設鉄筋５に着脱可能に装着し、該既設鉄筋５と直交した導体面９を有するアースクランプ６と、前記既設鉄筋５の端部周囲でアースクランプ６の導体面９に押し当てた状態で装着する耐熱性絶縁素材からなるリング状のスタッドベース７と、前記スタッド４の先端部周囲に装着し且つ前記スタッドベース７に接合可能なフェルール８とより構成される。
【００１５】
本発明のスタッド溶接装置は、狭い作業空間内で既設鉄筋５の端部にスタッド４を同軸状に突合せて溶接する用途に特に適しているが、用途は特に限定されるものではなく広く一般のスタッド溶接に用いることも可能である。また、前記スタッド４としては既設鉄筋５と同一径の異形鉄筋を用いることが好ましいが、丸棒状の鉄筋でも勿論構わず、また直径が大小若干異なっても構わない。また、前記スタッド４は、従来公知の各種形状のものを用いることも可能である。尚、本実施形態では、前記既設鉄筋５がコンクリート１４に埋設されたものを想定しているが、本発明は適当な状態に既設鉄筋５が固定されていれば適用可能である。
【００１６】
以下に各部について詳細に説明する。先ず、本発明に用いるスタッドガン１は、図１に示すように、ガン本体２の先端に駆動軸３が突出し、該駆動軸３と平行して２本のガイド杆１０，１０を前方へ延びて設けられ、該ガイド杆１０，１０の先端には後述のフェルール８を押えるとともに、ガン本体２を位置決めするためのフェルール当接部１１を形成している。ここで、前記ガイド杆１０，１０の並び方は、前記駆動軸３を挟んで上下でも左右でも良い。そして、前記ガイド杆１０，１０の途中部に移動体１２をスライド移動可能に設け、該移動体１２を前記駆動軸３の先端に連結するとともに、該移動体１２にスタッド保持具１３を設けている。前記スタッド保持具１３に装着したスタッド４はガン本体２の上方又は側方に配置され、ガン本体２の内部の直線駆動機構によって駆動軸３が進退すると、それに応じて移動体１２及びスタッド保持具１３に装着したスタッド４が前後方向に移動する。ここで、前記ガイド杆１０，１０に対する移動体１２の移動距離は、スタッド溶接する際にスタッド４の既設鉄筋５に対する離間、押し込みに要するストロークを確保できる程度で良い。従って、原理的には、前記ガイド杆１０，１０の長さを、移動体１２の長さにストロークを加えた程度に短くできる。
【００１７】
次に、前記アースクランプ６は、図２及び図３に示すように、エキセントリック型の構造のものであり、ベース金具１５の先端部に銅合金製の受け金具１６を着脱可能に取付けるとともに、ベース金具１５に一端を回動可能に取付けた側面視Ｌ字形のアーム１７の他端部に調節ネジ１８を介して押え金具１９を取付け、前記受け金具１６と押え金具１９とで既設鉄筋５を挟持できるようになっている。そして、前記アーム１７の屈曲部に先端部がへ字状に屈曲した操作ハンドル２０の先端を枢着するとともに、該操作ハンドル２０の屈曲部と前記ベース金具１５とにそれぞれ連結部材２１の端部を枢着している。
【００１８】
前記アーム１７と操作ハンドル２０の枢着部Ａ、前記連結部材２１とベース金具１５の枢着部Ｂ、前記連結部材２１と操作ハンドル２０の枢着部Ｃの位置関係は、図３（ａ）の受け金具１６に対して押え金具１９が開いた状態では、枢着部Ａと枢着部Ｂを結ぶ直線より枢着部Ｃが上方に位置し、図３（ｂ）の受け金具１６に対して押え金具１９が閉じて既設鉄筋５を挟持した状態では、枢着部Ａと枢着部Ｂを結ぶ直線より枢着部Ｃが下方に位置するように構成している。つまり、図３（ａ）の状態から操作ハンドル２０を押し下げると、既設鉄筋５に受け金具１６と押え金具１９が接触して図３（ｂ）の想像線で示した状態となるが、更に操作ハンドル２０を強く押し下げると枢着部Ｃが枢着部Ａと枢着部Ｂを結ぶ直線を超えて下方に位置して、既設鉄筋５の挟持状態が維持されるのである。ここで、前記受け金具１６には既設鉄筋５を受け入れる係合凹部１６Ａが形成され、前記押え金具１９にも同様の係合凹部１９Ａが形成されている。また、前記操作ハンドル２０に力を加えるために固定ハンドル２２が前記ベース金具１５に固定されている。更に、前記ベース金具１５にはアース線２３が接続されている。また、前記ベース金具１５は平面視ヘ字形に角度αだけ屈曲させており、既設鉄筋５の端部の露出長さが短い場合でも、アースクランプ６の基部がコンクリート１４の斫り面２４に接触しないようにしている。本実施形態では、前述の角度αは３０度に設定している。
【００１９】
また、前記アースクランプ６を構成する受け金具１６と押え金具１９とで導体面９を形成するが、更に確実に導体面を形成するためと、後述のスタッドベース７と既設鉄筋５の隙間から溶接時のガスが漏れて溶接不良になるのを防止するために、図４に示すような２枚の馬蹄形の導体板２５，２５をそれぞれ反対側から既設鉄筋５を挟み込むように、前記導体面９とスタッドベース７との間に装着するようにしている。尚、前記スタッドベース７を用いずにフェルール８のみの場合には、前記導体面９とフェルール８の間に装着する。ここで、導体板２５，２５は、スタッド溶接時の磁気吹き現象を緩和するのに要求される面積と形状を有している。例えば、前記導体板２５は、本実施形態では一辺が４〜５ｃｍで薄い銅合金製の板状のものを用いている。尚、前記導体板２５，２５は、互いにスライド係合するように構成しても、またそれぞれ前記受け金具１６と押え金具１９の導体面側に装着しても良い。
【００２０】
前記ガン本体２のスタッド保持具１３の構造は、基本的には前記アースクランプ６と同様である。ここで、前記アースクランプ６の場合のベース金具１５は、スタッド保持具１３の場合には前記移動体１２で兼用させることが可能である。
【００２１】
前記スタッドベース７は、図２及び図５に示すように、耐熱性絶縁素材、例えば後述のフェルール８と同種のセラミックス素材で成形し、焼成したものであり、外径は前記フェルール８の外径よりも大きくし、中心部に前記既設鉄筋５の端部に挿入可能な挿着孔２６を有し、該挿着孔２６の軸方向一側面には前記アースクランプ６の導体面９又は導体板２５に押し当てる当接面２７を形成するとともに、挿着孔２６の軸方向他側面にはガス抜き溝２８を有する前記フェルール８の先端面を接合する接合面２９と、下部に前記フェルール８と溶融金属を受ける円弧状の突縁３０を形成したものである。ここで、前記突縁３０は中心角に対して６０〜１８０°に設定している。また、前記スタッドベース７の接合面２９には、上部側の２箇所に突起３１，３１を形成し、該突起３１，３１と前記突縁３０とでフェルール８の周囲を３点支持してその中心出しを簡単に行えるようにしている。また、前記スタッドベース７の軸方向の厚みは、その素材強度にもよるが、３〜５ｍｍに設定している。スタッドベース７の厚さは、それよりも厚くても構わないが、既設鉄筋５はコンクリート１４に埋設されたものであり、それを斫って該既設鉄筋５の先端部を露出させる場合には、なるべく薄い方がコンクリート１４の斫り量が少なくて済むので好ましく、また薄すぎると強度面で問題となるので、適度な厚みとする。
【００２２】
前記フェルール８は、図５に示すように、水平スタッド溶接の際に使用する公知のものを用いることが可能であり、セラミックス素材で成形し、焼成したものである。つまり、前記フェルール８は、リング状の一端部に前記スタッド４の先端部を挿入する挿着孔３２を形成するとともに、他端部を拡径して内部に溶融金属溜となる空間部３３を形成し、更に先端面に溶接時に発生するガスの逃し穴となるガス抜き溝２８，…を形成したものである。ここで、前記フェルール８の先端面は、前記スタッドベース７の接合面２９に接合され、該接合面２９とガス抜き溝２８，…とで、ガスの逃し穴が形成されるが、前記突縁３０に対応する部分は平坦面３４となしてガス抜き溝２８は形成していない。この平坦面３４と前記接合面２９が密接し、更にその下方に前記突縁３０が位置するので、空間部３３内に溶け出した溶融金属が溢れ出して落下することがないようにしている。
【００２３】
本発明のスタッド溶接装置を用いて、コンクリート１４に埋設された既設鉄筋５の端部にスタッド４（異形鉄筋）を同軸状に溶接する作業手順を簡単に説明する。先ず、図１及び図２に示すように、既設鉄筋５をコンクリート１４と共に切断して端面を露出させ、それから前記アースクランプ６を該既設鉄筋５の端部に装着可能なだけその周囲又は切断面の全面にわたりコンクリートを斫って既設鉄筋５の端部を所定長さだけ露出させる。そして、前記アースクランプ６の受け金具１６と押え金具１９の係合凹部１６Ａ，１９Ａで、既設鉄筋５の端部を先端を余して圧接状態で保持し、導体面９が該既設鉄筋５に直交するようにアースクランプ６を端部に装着する。それから、前記既設鉄筋５の端部に、前記導体板２５，２５を挿着し、スタッドベース７の挿着孔２６を挿入して、当接面２７を導体板２５に押し当てる。そして、従来のスタッド溶接技術と同様に、スタッドガン１に装填したスタッド４の先端を前記既設鉄筋５の端面に接触させるとともに、該スタッド４の先端部に挿着孔３２を挿入して挿着したフェルール８の先端面を前記スタッドベース７の接合面２９に接合した状態で、前記フェルール当接部１１でフェルール８を押えてスタッドガン１を位置決めする。
【００２４】
それから、前記スタッドガン１の直線駆動機構によってスタッド４を後退させると同時に、該スタッド４とアースクランプ６を介して既設鉄筋５との間に図示しない溶接電源から電力を供給すると、両者が接触している間は短絡電流が流れ、やがて両者が離れるとアークが発生する。スタッド４と既設鉄筋５との間隔を所定時間一定に維持した後、溶接電源からの供給電力を遮断すると同時に、スタッドガン１の直線駆動機構によってスタッド４を前進させて既設鉄筋５に押し当てて両者を溶接する。ここで、スタッド４の後退距離より前進距離は若干長く設定されており、この距離の差が溶け込み量となる。最後に、スタッド４とスタッドガン１を分離するとともに、アースクランプ６を外し、導体板２５，２５を取り除き、スタッドベース７及びフェルール８をハンマーで軽く叩いて破壊してスタッド溶接の一連の作業が完了する。
【００２５】
前記アースクランプ６の受け金具１６と押え金具１９とで形成される既設鉄筋５と直交した導体面９並びに導体板２５は、溶接面となる既設鉄筋５の端面に対してその周囲に十分な面積を確保し、スタッド溶接時の磁気吹き現象を緩和する作用をするのであり、この導体面９並びに導体板２５の存在によって同径鉄筋同士の良好な水平スタッド溶接が可能となる。更に、前記スタッドベース７は、溶接時に発生する高熱からアースクランプ６を保護することと、溶融金属が溢れ出して落下するのを防止し、鉄筋同士の接合部の減肉を抑制して良好なスタッド溶接を実現することが主な作用である。更に、前記スタッドベース７と前記フェルール８との接合面において、前記突縁３０と突起３１，３１による凹凸嵌合構造によってフェルール８の中心出し、ひいては既設鉄筋５とスタッド４との中心出しを行うことも重要な作用である。前記スタッドベース７と前記フェルール８との凹凸嵌合構造は、前述の構造に限定されるものではなく、前記スタッドベース７の接合面２９に、前記フェルール８の先端部の外周が嵌合し且つ前記ガス抜き溝２８を塞がない程度の凹部を全体的に形成しても良い。また、水平スタッド溶接する際に、前記スタッドベース７及びフェルール８の上下が一目で分かる目印を付けることも好ましく、前記突起３１，３１はその目印の働きもする。
【００２６】
前記スタッドベース７を設ける理由は、前記フェルール８の空間部３３とで内部が広く両端部（挿着孔２６，３２）が狭い形状を形成し、前記スタッド４と既設鉄筋５の先端接合部をこの空間内に位置させて良好なスタッド溶接ができるようにするためである。しかし、同様な空間を内部に形成することが可能であれば、スタッドベース７を省略し、フェルール８のみでスタッド溶接することもできる。その例として、フェルール８を図６及び図７に示すような構造とする。
【００２７】
図６に示したフェルール８は、軸方向に沿って上下に二つ割した半円筒状の上部分割体３５と下部分割体３６を接合して一体化したものであり、上部分割体３５の内面中央部には空間部を形成するための凹部３７を形成するとともに、該凹部３７に貫通したガス抜き孔３８を形成し、下部分割体３６の内面中央部には空間部を形成するための凹部３９を形成したものである。ここで、前記凹部３７と凹部３９とで形成される空間部は上下に長い楕円体形状となり、これにより溶融金属の湯回りが良くなって、スタッド４と既設鉄筋５の溶接部が丸く盛り上がった理想的なスタッド溶接を実現できる。
【００２８】
また、図７に示したフェルール８は、軸方向に沿って左右両側に二つ割した半円筒状の左分割体４０と右分割体４１を接合して一体化したものであり、左分割体４０の内面上下部には空間部を形成するための上凹部４２と下凹部４３をそれぞれ形成するとともに、中央部の接合面には上凹部４２に連通するガス抜き溝４４を形成し、右分割体４１は前記左分割体４０と対称な形状となしたものである。この場合も、フェルール８の内部の空間部は上下に長い楕円体形状となる。
【００２９】
ここで、前記スタッド４が長尺の場合、前記スタッド保持具１３のみではスタッド４の保持が不安定になることがある。その場合には、図８に示すように、前記ガン本体２の後方に、前記駆動軸３に対して平行に単又は複数本の第２ガイド杆４５，４５を突設し、該第２ガイド杆４５，４５にスライド移動可能に設けた第２移動体４６に第２スタッド保持具４７を設け、前方の前記スタッド保持具１３と後方の当該第２スタッド保持具４７とでスタッド４をガン本体の上方に配する。尚、図示しないが、前記スタッド保持具１３及び第２スタッド保持具４７の向きを横方向に設定すれば、スタッド４をガン本体２の側方に配することが可能である。その他の構成は、図１に示したものと同一であるので、同一構成には同一符号を付してその説明は省略する。
【００３０】
次に、本発明の第２実施形態を図９に基づいて説明する。本実施形態のスタッドガン１は、スタッドガン本体１の直線駆動する駆動軸３の先端部に直交させてスタッド保持具４８を設け、ガン本体２の上面に沿って前記駆動軸３と平行にリニアガイド４９を設けるとともに、該リニアガイド４９に補助スタッド保持具５０をスライド移動可能に設け、ガン本体２の前方に先端にフェルール当接部材５１を設け、前記スタッド保持具４８と補助スタッド保持具５０に装着したスタッド４をガン本体の上方に配してなるものである。ここで、図示しないが、前記スタッド保持具３４を側方へ向けるとともに、ガン本体２の側方にリニアガイド４９を設けて、スタッド４をガン本体の側方に配することも可能である。その他の構成は、図１に示したものと同一であるので、同一構成には同一符号を付してその説明は省略する。
【００３１】
最後に、本発明の第３実施形態を図１０に基づいて説明する。本実施形態のスタッドガン１は、スタッドガン本体２の上面に沿ってリニアガイド５２を設けるとともに、該リニアガイド５２にスタッド保持具５３を直線駆動機構によってスライド移動可能に設け、ガン本体２の前方に先端にフェルール当接部材５４を設け、該スタッド保持具５３に装着したスタッド４をガン本体２の上方に配してなるものである。ここで、図示しないが、ガン本体２の側方にリニアガイド５２を設け、前記スタッド保持具５３を側方へ向けて、スタッド４をガン本体の側方に配することも可能である。尚、本実施形態では前述のような駆動軸は存在しないが、前記ガン本体２に内蔵した直線駆動機構の移動部５５を前記スタッド保持具５３に直接連結して前後駆動するようにしている。本実施形態の場合は、スタッドガン１の全長を最小限に短くすることが可能であり、更に狭い作業空間内でのスタッド溶接作業を行うことができる。その他の構成は、図１に示したものと同一であるので、同一構成には同一符号を付してその説明は省略する。ことを特徴とするスタッド溶接装置。
【００３２】
尚、前述のスタッドガン１は、横向きに使用しても、また上下反転させて使用しても何等支障はなく、作業現場の状況に応じて使用することができる。当然ではあるが、前記スタッドガン１を上向きや下向きにして使用することも可能である。
【００３３】
【発明の効果】
以上にしてなる本発明のスタッド溶接装置によれば、スタッドガンにスタッドを装着した状態の全長が、スタッド自体の長さで規定されるようなガン構造としてことにより、従来構造のものより格段に狭い作業空間内で、横向きの既設鉄筋の端部にスタッドを同軸状に突合せて溶接することができ、溶接状態も良好なものが得られる。それにより、橋梁のコンクリート床版同士の接続部に配した伸縮装置の取替え工事、床版の横幅拡張工事あるいはトンネル内面補強改修工事等の工期を大幅に短縮することができる。
【図面の簡単な説明】
【図１】  本発明のスタッド溶接装置の第１実施形態を一部破断して示した簡略側面図である。
【図２】  既設鉄筋とスタッドとの接合部分の拡大断面図である。
【図３】  アースクランプの側面図であり、（ａ）は既設鉄筋を挟持する前の状態、（ｂ）は既設鉄筋を挟持した後の状態をそれぞれ示している。
【図４】  導電板と既設鉄筋の関係を示す部分斜視図である。
【図５】  スタッドベースとフェルールの斜視図であり、（ａ）はスタッドベースとフェルールが離れた状態、（ｂ）はスタッドベースとフェルールを接合した状態をそれぞれ示している。
【図６】  フェルールの他の実施形態を示し、（ａ）は分解斜視図、（ｂ）は接合状態の縦断面図である。
【図７】  フェルールの更に他の実施形態を示す分解斜視図である。
【図８】  第１実施形態の変形例を一部破断して示した簡略側面図である。
【図９】  本発明のスタッド溶接装置の第２実施形態を一部破断して示した簡略側面図である。
【図１０】  本発明のスタッド溶接装置の第３実施形態を一部破断して示した簡略側面図である。
【符号の説明】
１  スタッドガン          ２  ガン本体
３  駆動軸                ４  スタッド
５  既設鉄筋              ６  アースクランプ
７  スタッドベース        ８  フェルール
９  導体面                １０  ガイド杆
１１  フェルール当接部    １２  移動体
１３  スタッド保持具      １４  コンクリート
１５  ベース金具          １６  受金具
１６Ａ  係合凹部          １７  アーム
１８  調節ネジ            １９  押え金具
１９Ａ  係合凹部          ２０  操作ハンドル
２１  連結部材            ２２  固定ハンドル
２３  アース線            ２４  斫り面
２５  導体板              ２６  挿着孔
２７  当接面              ２８  ガス抜き溝
２９  接合面              ３０  突縁
３１  突起                ３２  挿着孔
３３  空間部              ３４  スタッド保持具
３４  平坦面              ３５  上部分割体
３６  下部分割体          ３７  凹部
３８  ガス抜き孔          ３９  凹部
４０  左分割体            ４１  右分割体
４２  上凹部              ４３  下凹部
４４  ガス抜き溝          ４５  ガイド杆
４６  第２移動体          ４７  第２スタッド保持具
４８  スタッド保持具      ４９  リニアガイド
５０  補助スタッド保持具  ５１  フェルール当接部材
５２  リニアガイド        ５３  スタッド保持具
５４  フェルール当接部材  ５５  移動部
【図１】
0004788063.tif 000002
【図２】
0004788063.tif 000003
【図３】
0004788063.tif 000004
【図４】
0004788063.tif 000005
【図５】
0004788063.tif 000006
【図６】
0004788063.tif 000007
【図７】
0004788063.tif 000008
【図８】
0004788063.tif 000009
【図９】
0004788063.tif 000010
【図１０】
0004788063.tif 000011